(57)【特許請求の範囲】
【請求項１】
一又は複数本の導体を束ねた導電路を挿通する管体の端末に係合する端末係合部を有し、
該端末係合部は、
前記導電路を引き出す部分として前記導電路の断面形状に合わせて開口形成された導電路引出孔を形成するとともに、該導電路引出孔の開口縁から前記導電路の引き出し方向に前記導電路引出孔を筒孔の形状とする筒形状にのびる導電路固定部と、前記管体の外面に沿ってのびる管体固定部と、
前記管体の軸に直交して該軸の直交方向での前記導電路固定部と前記管体固定部との外幅の差を変化させる壁であり、内面が前記管体の端面が突き当たる面となり、かつ、外面が前記端面に略平行で前記管体への加工の際に基準となる基準面となる端末開口覆い部と、
を有する
ことを特徴とするプロテクタ。
【請求項２】
請求項１に記載のプロテクタにおいて、
前記端末係合部には、前記管体の前記端末を全周に渡り囲う端末挿入溝を形成する
ことを特徴とするプロテクタ。
【請求項３】
請求項２に記載のプロテクタにおいて、
前記端末係合部には、前記管体の前記端末を外方から臨む確認窓を形成する
ことを特徴とするプロテクタ。
【請求項４】
請求項１、２又は３に記載のプロテクタにおいて、
前記導電路固定部及び前記管体固定部の端部を舌片形状に形成する
ことを特徴とするプロテクタ。
【請求項５】
一又は複数本の導体を束ねた導電路と、該導電路を挿通する管体とを含むワイヤハーネスにおいて、
前記管体の一端末に、請求項１、２、３又は４に記載のプロテクタを係合させるとともに、該プロテクタを用いて前記導電路と前記管体とを固定してなる
ことを特徴とするワイヤハーネス。
【請求項６】
請求項５に記載のワイヤハーネスにおいて、
前記管体の他端末にも前記プロテクタを係合させるとともに、前記管体に対し曲げ加工を施した後、前記他端末においても前記プロテクタにて前記導電路と前記管体とを固定してなる
ことを特徴とするワイヤハーネス。
【発明の詳細な説明】
【技術分野】
【０００１】
本発明は、プロテクタ及びこのプロテクタを含むワイヤハーネスに関する。
【背景技術】
【０００２】
ハイブリッド自動車や電気自動車の機器、具体的にはモータユニットやインバータユニット、バッテリーなどの機器を電気的に接続するためとして、高圧のワイヤハーネスが用いられる。
【０００３】
下記特許文献１に開示されたワイヤハーネスは、機器間を電気的に接続する三本の電線と、三本の電線をこの全長の大半にわたって収容し且つシールドする金属パイプとを備えて構成される。
【先行技術文献】
【特許文献】
【０００４】
【特許文献１】特開２００４−１７１９５２号公報
【発明の概要】
【発明が解決しようとする課題】
【０００５】
上記従来技術のように、ワイヤハーネスの構成に金属パイプを含む場合、金属パイプはこれを必要長さに切断してから使用することになる。従って、金属パイプの端末開口縁には、エッジ部分（バリ等を含む）が生じてしまう虞がある。このエッジ部分は、電線の被覆に接触すると被覆を傷付けてしまう虞がある。
【０００６】
ところで、ワイヤハーネスを構成する電線（導電路）は、金属パイプの端末から所定長さで引き出されるようになることが好ましい。何故ならば、短い場合に電気的な接続に支障を来してしまうからである。また、長い場合には、所定長さにするための追加工が必要になってしまうからである。尚、電線引き出し長さを維持することは、次工程や寸法保証のために重要である。
【０００７】
本発明は、上記した事情に鑑みてなされたもので、導電路における引き出し部分の保護を可能にするとともに、導電路の引き出し長さを安定させて寸法保証も可能にするプロテクタ及びワイヤハーネスの提供を課題とする。
【課題を解決するための手段】
【０００８】
上記課題を解決するためになされた請求項１に記載の本発明のプロテクタは、一又は複数本の導体を束ねた導電路を挿通する管体の端末に係合する端末係合部を有し、該端末係合部は、前記導電路を引き出す部分として前記導電路の断面形状に合わせて開口形成された導電路引出孔を形成するとともに、該導電路引出孔の開口縁から前記導電路の引き出し方向に前記導電路引出孔を筒孔の形状とする筒形状にのびる導電路固定部と、前記管体の外面に沿ってのびる管体固定部と、前記管体の軸に直交して該軸の直交方向での前記導電路固定部と前記管体固定部との外幅の差を変化させる壁であり、内面が前記管体の端面が突き当たる面となり、かつ、外面が前記端面に略平行で前記管体への加工の際に基準となる基準面となる端末開口覆い部と、を有することを特徴とする。
【０００９】
このような特徴を有する本発明によれば、管体の端末に仮にエッジ部分が生じていても、エッジ部分からの影響を受けることはない。これは管体の端末に係合する端末係合部を有するからである。また、本発明によれば、導電路の引き出し長さが維持される。これは導電路を固定する導電路固定部と管体を固定する管体固定部とを端末係合部に更に有するからである。
また、このような特徴を有する本発明によれば、管体への加工が必要な場合において、管体の端末にプロテクタが係合していても加工の位置ズレは防止される。これは加工の際に基準となる基準面を有するからである。
【００１０】
請求項２に記載の本発明のプロテクタは、請求項１に記載のプロテクタに係り、前記端末係合部には、前記管体の前記端末を全周に渡り囲う端末挿入溝を形成することを特徴とする。
【００１１】
このような特徴を有する本発明によれば、管体の端末に仮にエッジ部分が生じていても、エッジ部分からの影響を受けることはない。これは管体の端末に係合する端末係合部に端末挿入溝を形成して端末を全周に渡り囲うからである。
【００１２】
請求項３に記載の本発明のプロテクタは、請求項２に記載のプロテクタに係り、前記端末係合部には、前記管体の前記端末を外方から臨む確認窓を形成することを特徴とする。
【００１３】
このような特徴を有する本発明によれば、管体の端末への係合が不完全になることはない。これは確認窓を介して管体の端末位置が分かるからである。
【００１６】
請求項４に記載の本発明のプロテクタは、請求項１、２又は３に記載のプロテクタに係り、前記導電路固定部及び前記管体固定部の端部を舌片形状に形成することを特徴とする。
【００１７】
このような特徴を有する本発明によれば、導電路との固定及び管体との固定が容易になる形状に、また、安価な固定方法を採用することが可能な形状に導電路固定部及び管体固定部が形成される。これはテープや結束バンド等の固定方法を採用した場合に有効な舌片形状に形成されるからである。
【００１８】
また、上記課題を解決するためになされた請求項５に記載の本発明のワイヤハーネスは、一又は複数本の導体を束ねた導電路と、該導電路を挿通する管体とを含むワイヤハーネスにおいて、前記管体の一端末に、請求項１、２、３又は４に記載のプロテクタを係合させるとともに、該プロテクタを用いて前記導電路と前記管体とを固定してなることを特徴とする。
【００１９】
このような特徴を有する本発明によれば、導電路を管体の端末から引き出しても導電路に損傷が生じることはなく、また、導電路の引き出し長さに係り寸法保証もなされるワイヤハーネスになる。これは請求項１、２、３又は４に記載のプロテクタを構成に含む からである。
【００２０】
請求項６に記載の本発明のワイヤハーネスは、請求項５に記載のワイヤハーネスに係り、前記管体の他端末にも前記プロテクタを係合させるとともに、前記管体に対し曲げ加工を施した後、前記他端末においても前記プロテクタにて前記導電路と前記管体とを固定してなることを特徴とする。
【００２１】
このような特徴を有する本発明によれば、管体の一端末及び他端末のそれぞれにプロテクタを係合させたワイヤハーネスになる。
【発明の効果】
【００２２】
請求項１に記載された本発明によれば、管体の端末に係合する端末係合部と、導電路を固定する導電路固定部と、管体を固定する管体固定部とを有するプロテクタであることから、導電路における引き出し部分の保護をすることができるという効果や、導電路の引き出し長さを安定させて寸法保証をすることができるという効果を奏する。また、本発明によれば、管体に導電路を挿通する作業の際や、次工程での製造・加工の際の、導電路の損傷を防止することができるという効果も奏する。損傷を防止することができれば、作り直しがなくなるのは勿論のこと、品質向上や信頼性を高めることができるという効果も奏する。
また、請求項１に記載された本発明によれば、端末係合部に基準面を形成することから、管体への加工の際に基準面を用いれば、加工での位置ズレを防止することができるという効果を奏する。具体的には、ベンダーなどによる曲げ位置の基準や固定位置の基準となることから、管体の端末にプロテクタが係合していても加工での位置ズレを防止することができるという効果を奏する。この他、加工の際の位置決めを容易にすることができるという効果も奏する。
【００２３】
請求項２に記載された本発明によれば、管体の端末を全周に渡り囲う端末挿入溝を端末係合部に形成することから、導電路における引き出し部分を一層確実に保護することができるという効果を奏する。また、本発明によれば、端末挿入溝を管体の端末に挿入する構造のプロテクタになることから、挿入構造により端末におけるプロテクタの係合状態を安定させることができるという効果も奏する。
【００２４】
請求項３に記載された本発明によれば、管体の端末を臨む確認窓を有することから、端末挿入溝が端末に挿入されて係合状態にあるか否かを容易に判断することができる。従って、作業性の向上を図ることができるという効果を奏する。係合状態にあるか否かを容易に判断できれば、プロテクタの外れや空き、寸法がでないなどの不具合を防止し、品質向上や信頼性を高めることができるという効果も奏する。また、本発明によれば、管体の端末における位置が安定し、寸法保証に寄与することができるという効果も奏する。
【００２６】
請求項４に記載された本発明によれば、舌片形状に導電路固定部及び管体固定部の端部を形成することから、テープや結束バンド等を用いての固定が可能になり、結果、導電路との固定及び管体との固定を容易にして作業性の向上を図ることができるという効果を奏する。また、テープや結束バンド等を用いての固定が可能になることから、安価な固定方法を採用することができるという効果も奏する。
【００２７】
請求項５に記載された本発明によれば、請求項１、２、３又は４に記載のプロテクタを構成に含むことから、上記効果が得られるワイヤハーネスを提供をすることができるという効果を奏する。本発明によれば、より良いワイヤハーネスを提供することができるという効果も奏する。
【００２８】
請求項６に記載された本発明によれば、管体の一端末及び他端末のそれぞれにプロテクタを係合させたワイヤハーネスであり、この場合も、より良いワイヤハーネスを提供することができるという効果を奏する。
【図面の簡単な説明】
【００２９】
【図１】本発明のプロテクタを含むワイヤハーネスの配索状態を示す概略図である。
【図２】プロテクタと管体と導電路の断面図である。
【図３】プロテクタと管体と導電路の斜視図である。
【図４】プロテクタの斜視図である。
【図５】寸法保証がされた状態を示すプロテクタと管体と導電路の斜視図である。
【図６】プロテクタ及び導電路の他の例を示す図である。
【発明を実施するための形態】
【００３０】
プロテクタは、管体の端末に係合する端末係合部と、導電路を固定する導電路固定部と、管体を固定する管体固定部とを有する。また、ワイヤハーネスは、導電路と、この導電路を挿通する管体と、管体の少なくとも一端末に係合する上記プロテクタとを含む。
【実施例１】
【００３１】
以下、図面を参照しながら実施例１を説明する。図１は本発明のプロテクタを含むワイヤハーネスの配索状態を示す概略図である。また、図２はプロテクタと管体と導電路の断面図、図３はプロテクタと管体と導電路の斜視図、図４はプロテクタの斜視図、図５は寸法保証がされた状態を示すプロテクタと管体と導電路の斜視図である。
【００３２】
本実施例においては、ハイブリッド自動車（電気自動車や一般的な自動車であってもよいものとする）に配索されるワイヤハーネスに対し本発明を採用するものとする。
【００３３】
図１において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００３４】
モータユニット３とインバータユニット４は、高圧のワイヤハーネス８により接続される。また、バッテリー５とインバータユニット４も高圧のワイヤハーネス９により接続される。ワイヤハーネス９は、この中間部１０が車体床下１１の地面側に配索される。また、車体床下１１に沿って略平行に配索される。車体床下１１は、公知のボディであるとともに所謂パネル部材であって、所定位置には貫通孔（符号省略）が形成される。この貫通孔には、ワイヤハーネス９が挿通される。
【００３５】
ワイヤハーネス９とバッテリー５は、このバッテリー５に設けられるジャンクションブロック１２を介して接続される。ジャンクションブロック１２には、ワイヤハーネス９の後端１３が公知の方法で電気的に接続される。ワイヤハーネス９の前端１４側は、インバータユニット４に対し公知の方法で電気的に接続される。
【００３６】
モータユニット３は、モータ及びジェネレータを構成に含むものとする。また、インバータユニット４は、インバータ及びコンバータを構成に含むものとする。モータユニット３は、シールドケースを含むモータアッセンブリとして形成されるものとする。また、インバータユニット４もシールドケースを含むインバータアッセンブリとして形成されるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。バッテリー５は、ハイブリッド自動車１や電気自動車に使用可能であれば特に限定されないものとする。
【００３７】
先ず、ワイヤハーネス９の構成及び構造について説明をする。
【００３８】
図２及び図３において、ワイヤハーネス９は、導電路１５と、この導電路１５を挿通する管体１６と、管体１６の少なくとも一端末１７に係合するプロテクタ１８と、図示しない機器接続部とを含んで構成される。本実施例のワイヤハーネス９は、特に図示しないが管体１６の他端末にもプロテクタ１８が係合するものとする。
【００３９】
導電路１５としては、本実施例において断面形状が長円形状となる高圧のキャブタイヤケーブルが用いられる。導電路１５は、二本の導体と、この二本の導体をそれぞれ被覆する絶縁体と、これら高圧電線を一括して被覆するシースとを含んで構成される。導電路１５は、電気的な接続に必要な長さを有するように形成される。
【００４０】
尚、上記導体及び絶縁体からなる高圧電線も導電路として見ることができるものとする。導電路１５以外としては、公知の高圧電線をはじめ、公知のバスバーに絶縁体を設けて高圧の導電路としたものや、ｎ系統の回路（ｎ個の回路）を同軸で一本に構成することによりなる高圧同軸複合導電路等が挙げられるものとする（高圧同軸複合導電路に関しては実施例２で説明するものとする）。上記高圧電線の導体構造は、素線を撚り合わせてなる導体構造のものや、例えば断面丸形となる棒状の導体構造（例えば丸単心となる導体構造）のもののいずれであってもよいものとする。導体は、銅や銅合金、アルミニウムやアルミニウム合金により製造される。
【００４１】
導電路１５の端末には、端子金具が設けられる。端子金具は、図示しない機器接続部を構成する。このような端子金具は、インバータユニット４等のシールドケース内部に差し込まれた後に、電気接続部に対し公知の方法で接続される。導電路１５は、電気的な接続のために管体１６の端末（一端末１７及び図示しない他端末）から所定長さで引き出される必要がある。
【００４２】
管体１６は、ワイヤハーネス９における外装部材であって、本実施例においては金属パイプ（例えばアルミニウムパイプ）が採用される。管体１６は、導電路１５を収容するのに必要な長さと内径寸法とを有するように形成される。また、管体１６は、保護機能を発揮させるのに必要な厚みに形成される。
【００４３】
尚、管体１６は、金属パイプに限らず樹脂製の管体であってもよいものとする。管体１６は、本実施例において断面円形状に形成される（断面形状は一例であり、楕円形状や長円形状、矩形状であってもよいものとする）。
【００４４】
このような管体１６は、ワイヤハーネス９の配索経路に合わせて曲げ加工が施される。引用符号１９（図１及び図５参照）は曲げ部を示す。曲げ加工は、例えば図示しないベンダーを用いるものとする。
【００４５】
管体１６は、この端末（一端末１７及び図示しない他端末）が長尺管体から切断したままの状態であっても問題がなく、端末開口縁のエッジ部分（バリ等を含む）は、プロテクタ１８の係合により覆われる。管体１６の端面は、管体１６の軸に直交方向の面となり、このような端面に対し突き当たるようにプロテクタ１８が形成される。以下、管体１６の一端末１７に係合するプロテクタ１８について詳細に説明をする。
【００４６】
図２ないし図４において、プロテクタ１８は、上記の如く管体１６の一端末１７（端末）に係合する部材であって、係合部分としては端末係合部２０を有する。この端末係合部２０は、一端末１７を覆う略キャップ形状に形成される。具体的には、内側挿入部２１と、外側挿入部２２と、端末挿入溝２３と、確認窓２４と、端末開口覆い部２５と、導電路引出孔２６とを有して略キャップ形状に形成される。
【００４７】
内側挿入部２１は、一端末１７への係合時に管体１６の内面側に挿入及び配置される部分として形成される。内側挿入部２１は、環状に形成される。内側挿入部２１の一部は、導電路１５に対する支持部２７（図２参照）として形成される。支持部２７は、図中下側に配置形成される。
【００４８】
外側挿入部２２は、一端末１７への係合時に管体１６の外面側に挿入及び配置される部分として形成される。外側挿入部２２は、環状に形成される。
【００４９】
内側挿入部２１と外側挿入部２２との間は、端末挿入溝２３として形成される。端末挿入溝２３は、一端末１７を全周に渡り囲う形状に形成される。端末挿入溝２３の溝底は、プロテクタ１８の完全な係合状態において、一端末１７の端面が突き当たる形状に形成される。尚、上記溝底は、端末開口覆い部２５の内面位置に配置される。
【００５０】
外側挿入部２２の図中上側であって端末開口覆い部２５との連続位置には、確認窓２４が配置形成される。確認窓２４は、端末挿入溝２３に連通し、管体１６の一端末１７を外方から臨むことができる形状に形成される。プロテクタ１８は、確認窓２４を形成することにより、一端末１７が突き当たっているか否かを容易に確認することができる。従って、一端末１７への係合が不完全になることはなく、また、係合に係る作業性も良好になる。
【００５１】
正常な係合状態にあるか否かを容易に判断できれば、プロテクタ１８の外れや空き、寸法がでないなどの不具合を防止し、品質向上や信頼性を高めることができる。また、正常な係合状態にあれば、管体１６の一端末１７における位置が安定し、後述する寸法保証にも寄与する。
【００５２】
端末開口覆い部２５は、管体１６の軸に直交方向の壁として形成される。また、管体１６の端末開口を覆う部分として形成される。本実施例の端末開口覆い部２５における外面は、基準面２８として形成される。基準面２８は、管体１６への曲げ加工の際に基準となる面である（基準面２８は、ベンダーなどによる曲げ位置の基準や固定位置の基準となる）。このような基準面２８を有する端末開口覆い部２５の中央位置には、導電路引出孔２６が形成される。
【００５３】
導電路引出孔２６は、導電路１５の断面形状に合わせて開口形成される。本実施例においては、長円形状に開口形成される。また、導電路引出孔２６は、本実施例において管体１６の軸に沿って突出する筒形状に形成される。尚、筒形状に形成することにより、導電路１５の支持部分を増やすことができる。
【００５４】
管体１６の一端末１７にプロテクタ１８を係合させることにより、導電路１５は導電路引出孔２６から引き出されるようになる。
【００５５】
以上のような略キャップ形状の端末係合部２０には、導電路固定部２９と、管体固定部３０とが更に形成される。導電路固定部２９は、導電路１５を固定する部分であって、導電路引出孔２６の突出先端位置にある開口縁下部から導電路１５の引き出し方向にのびる舌片形状に形成される。一方、管体固定部３０は、管体１６を固定する部分であって、外側挿入部２２の突出先端位置下部から管体１６の外面に沿ってのびる舌片形状に形成される。
【００５６】
導電路固定部２９及び管体固定部３０は、固定方法に応じて適宜形状に形成されるものとする。本実施例においては、テープ３１や結束バンド等の安価な固定方法を採用することができる形状に形成される。テープ３１に関しては、アセテートテープ、ポリエステルテープ等が一例として挙げられるものとする。
【００５７】
尚、端末係合部２０における引用符号３２は転がり防止部を示す。この転がり防止部３２は、平面形状に形成される。転がり防止部３２は、端末係合部２０の下部に配置形成される（転がり防止部３２の配置及び数は一例であるものとする）。
【００５８】
本実施例においては、平面形状の転がり防止部３２を端末係合部２０に形成することから、断面円形状の管体１６に係合する端末係合部２０の外周位置には、外側へ若干突出するフランジ部３３も形成される。
【００５９】
次に、上記構成及び構造に基づきながら、プロテクタ１８の係合等について説明をする。
【００６０】
図２、図３及び図５において、管体１６の一端末１７にプロテクタ１８を係合させる。この係合により一端末１７の端末開口縁のエッジ部分が覆われる。すなわち、エッジ部分にバリ等があっても導電路１５への影響はない。プロテクタ１８と管体１６は、プロテクタ１８の管体固定部３０の位置でテープ３１を巻き付けることにより固定状態となる。
【００６１】
一端末１７にプロテクタ１８を係合させた後は、図示しない他端末側から導電路１５を管体１６に挿通する。導電路１５の挿通は、プロテクタ１８の導電路引出孔２６を介して所定長さＬ分だけ引き出されるまで行われる。プロテクタ１８と導電路１５は、プロテクタ１８の導電路固定部２９の位置でテープ３１を巻き付けることにより固定状態となる。
【００６２】
プロテクタ１８は、上記の如く管体１６との間でも固定状態となることから、導電路１５及び管体１６の両者も固定状態となる。
【００６３】
図５において、導電路引出孔２６を介して所定長さＬ分だけ引き出された導電路１５は、上記固定状態から分かるように寸法が保証される。
【００６４】
プロテクタ１８の基準面２８を利用してベンダーによる曲げ加工を管体１６に対し施すと、管体１６には曲げ部１９が形成される。尚、曲げ部１９の形成の際に、所定長さＬ分だけ引き出された導電路１５の寸法が保証されるのは勿論である。
【００６５】
ベンダーによる曲げ加工の後は、管体１６の図示しない他端末側で導電路１５と管体１６とを固定状態にする。これは他端末に係合させたプロテクタ１８を介して固定状態にする。
【００６６】
以上、図１ないし図５を参照しながら説明してきたように、管体１６の端末（一端末１７及び他端末）に係合する端末係合部２０と、導電路１５を固定する導電路固定部２９と、管体１６を固定する管体固定部３０とを有するプロテクタ１８であることから、導電路１５における引き出し部分の保護をすることができるという効果や、導電路１５の引き出し長さを安定させて寸法保証をすることができるという効果を奏する。
【００６７】
また、管体１６に導電路１５を挿通する作業の際や、次工程での製造・加工の際の、導電路１５の損傷を防止することができるという効果も奏する。損傷を防止することができれば、作り直しがなくなるのは勿論のこと、品質向上や信頼性を高めることができるという効果も奏する。
【実施例２】
【００６８】
以下、図面を参照しながら実施例２を説明する。図６はプロテクタ及び導電路の他の例を示す図である。実施例２も実施例１と同様の効果を奏するのは勿論である。
【００６９】
図６（ａ）において、プロテクタ１８は、この導電路引出孔２６を仮想線Ｐで示す如くの円筒形状に形成してもよいものとする。この場合、図６（ｂ）で示す如くの導電路、すなわち高圧同軸複合導電路３４を適用することが可能になる。
【００７０】
高圧同軸複合導電路３４は、この一本でプラス回路及びマイナス回路を有するように構成される。すなわち、二系統の回路を有するように構成される。具体的には、高圧同軸複合導電路３４の中心に位置する断面円形状の第一導電路３５と、この第一導電路３５の外周を所定厚さで被覆する第一絶縁体３６と、第一絶縁体３６の外側に設けられる第二導電路３７と、この第二導電路３７の外周を所定厚さで被覆する第二絶縁体３８とを含んで構成される。
【００７１】
尚、上記二系統の回路に限らないものとする。同軸で一本構成であれば三系統の回路（三つの回路）、四系統の回路（四つの回路）、…ｎ系統の回路（ｎ個の回路）であってもよいものとする。
【００７２】
この他、本発明は本発明の主旨を変えない範囲で種々変更実施可能なことは勿論である。
【符号の説明】
【００７３】
１…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車体床下、  １２…ジャンクションブロック、  １３…後端、  １４…前端、  １５…導電路、  １６…管体、  １７…一端末（端末）、  １８…プロテクタ、  １９…曲げ部、  ２０…端末係合部、  ２１…内側挿入部、  ２２…外側挿入部、  ２３…端末挿入溝、  ２４…確認窓、  ２５…端末開口覆い部、  ２６…導電路引出孔、  ２７…支持部、  ２８…基準面、  ２９…導電路固定部、  ３０…管体固定部、  ３１…テープ、  ３２…転がり防止部、  ３３…フランジ部、  ３４…高圧同軸複合導電路（導電路）、  ３５…第一導電路、  ３６…第一絶縁体、  ３７…第二導電路、  ３８…第二絶縁体
【図１】
0005927693.tif 000002
【図２】
0005927693.tif 000003
【図３】
0005927693.tif 000004
【図４】
0005927693.tif 000005
【図５】
0005927693.tif 000006
【図６】
0005927693.tif 000007